(57)【要約】  ケーシングと、ケーシング内に配置された熱交換器と、熱交換器の下端部を下側から覆って支持する部品であって、内部に入った水を外部に排水する排水穴を有する支持部品と、支持部品とケーシングの底板との間に介装され、支持部品の底面を覆う絶縁シートとを備えたものである。
2017033273.tif 000002
【特許請求の範囲】
【請求項１】
ケーシングと、
前記ケーシング内に配置された熱交換器と、
前記熱交換器の下端部を下側から覆って支持する部品であって、内部に入った水を外部に排水する排水穴を有する支持部品と、
前記支持部品と前記ケーシングの底板との間に介装され、前記支持部品の底面を覆う絶縁シートと
を備えた空気調和機の室外機。
【請求項２】
前記底板は、前記底板上に流入した不要物を排出する第１排出穴と第２排出穴とを有する請求項１記載の空気調和機の室外機。
【請求項３】
前記第１排出穴は前記熱交換器の下方に設けられ、前記第２排出穴は前記絶縁シートの周囲下方に設けられている請求項２記載の空気調和機の室外機。
【請求項４】
前記第２排出穴と前記絶縁シートとの間の水平方向の距離が０ｍｍ〜３ｍｍの範囲に設定されている請求項２または請求項３記載の空気調和機の室外機。
【請求項５】
前記熱交換器は、互いに間隔をおいて配置された上下方向に延びるヘッダパイプと、ヘッダパイプ間に設けられた複数のフィンおよび複数の伝熱管とを有し、前記熱交換器の前記下端部は、前記ヘッダパイプの下端部である請求項１〜請求項４の何れか一項に記載の空気調和機の室外機。
【発明の詳細な説明】
【技術分野】
【０００１】
本発明は、空気調和機の室外機に関し、特に室外機のケーシングの底板に関するものである。
【背景技術】
【０００２】
従来の空気調和機として、フィンと配管とにアルミニウム材を使用した熱交換器が搭載されたものがある。この種の熱交換器を搭載した空気調和機の室外機において、熱交換器下端部と室外機の底板とが接触する構造とした場合、底板の材質が電気的にアルミニウムよりも電気的に貴、すなわちイオン化傾向が低い金属であると、アルミ配管の孔食が生じる。【０００３】
その電食を防止するため、従来、熱交換器と底板との間に、アルミに対して電気的に卑になる金属、あるいは樹脂品の支持部品を介在させるようにしている。しかし、支持部品内に雨水およびドレン水等の水分がたまる可能性があり、そのたまった水分内に含まれる金属成分および酸性成分により、熱交換器下端部が電解腐食を起こすことがある。【０００４】
このようなことから、特許文献１には支持部品に排水穴を設け、支持部品内の水分を排水穴から排水することで、支持部品内に水だまりが生じるのを防ぐ構造が記載されている。
【先行技術文献】
【特許文献】
【０００５】
【特許文献１】特開２０１３−１６０４４４号公報
【発明の概要】
【発明が解決しようとする課題】
【０００６】
しかしながら、支持部品の排水穴から排出した物質がその付近の底板に滞留して堆積し、堆積した固形物が支持部品に設けた排水穴を介して底板と熱交換器下端部とに接触する可能性がある。この状態で固形物が水分を含んだ際、底板と熱交換器下端部とが電気的に連通し、電解腐食が発生するという問題があった。また、底板の支持部品まわりには、ほこりや周辺の金属部品の腐食物などの固体物が堆積することがあり、この場合も同様に、堆積した固形物によって排水穴を介して底板と熱交換器下端部とが電気的に連通し、電解腐食が発生するという問題があった。【０００７】
本発明は上述のような課題を背景としてなされたものであり、支持部品に排水穴を設けた場合でも、熱交換器下端部の電食を抑制できる信頼性の高い空気調和機の室外機を得ることを目的とする。
【課題を解決するための手段】
【０００８】
本発明に係る空気調和機の室外機は、ケーシングと、ケーシング内に配置された熱交換器と、熱交換器の下端部を下側から覆って支持する部品であって、内部に入った水を外部に排水する排水穴を有する支持部品と、支持部品とケーシングの底板との間に介装され、支持部品の底面を覆う絶縁シートとを備えたものである。
【発明の効果】
【０００９】
本発明によれば、支持部品に排水穴を設けた場合でも、絶縁シートの存在により、熱交換器下端部の電食を抑制できる信頼性の高い空気調和機の室外機を得ることができる。
【図面の簡単な説明】
【００１０】
【図１】本発明の実施の形態１に係る空気調和機の室外機１００の斜視図である。
【図２】本発明の実施の形態１に係る空気調和機の室外機１００の分解斜視図である。
【図３】本発明の実施の形態１に係る空気調和機の室外機１００に設置される熱交換器２００の概略図である。
【図４】本発明の実施の形態１に係る空気調和機の室外機１００の支持部品２０１の概略斜視図である。
【図５】本発明の実施の形態１に係る空気調和機の室外機１００の支持部品２０１の平面図である。
【図６】本発明の実施の形態１に係る空気調和機の室外機１００の底板３００と支持部品２０１とそれらの関連部材とを抽出した概略平面図である。
【図７】図６のＡ−Ａ断面の要部概略拡大図である。
【図８】図７と同様に図６のＡ−Ａ断面の要部概略拡大図で、支持部品２０１周囲に堆積物５００が堆積した状態を示す図である。
【図９】本発明の実施の形態２に係る空気調和機の室外機１００の底板３００の概略平面図である。
【図１０】図９のＢ−Ｂ断面の要部概略拡大図である。
【発明を実施するための形態】
【００１１】
以下、図面を参照して、本発明の実施の形態について説明する。なお、各図中、同一または相当する部分には同一符号を付して、その説明を適宜省略または簡略化する。また、各図に記載の構成について、その形状、大きさおよび配置等は、本発明の範囲内で適宜変更することができる。
【００１２】
実施の形態１．
図１は、本発明の実施の形態１に係る空気調和機の室外機１００の斜視図である。図２は、本発明の実施の形態１に係る空気調和機の室外機１００の分解斜視図である。
【００１３】
図１に示すように室外機１００のケーシング１００ａは、天面板１０１と、前面板１０２と、側面板１０３と、底板３００とを備えており、さらに、ファングリル１０４と、接続端子保護カバー１０５と、冷媒配管保護カバー１０６とを備えている。室外機１００のケーシング１００ａの内部には、図２に示すように主に、熱交換器２００、圧縮機１１０、仕切り板１１１、ファンモータ１１２、ファンモータ支持部材１１３、プロペラファン１１４等が配置されている。
【００１４】
ケーシング１００ａ内は仕切り板１１１によって機械室１５０ａと送風機室１５０ｂとに分けられ、機械室１５０ａに圧縮機１１０等が配置され、送風機室１５０ｂには、熱交換器２００、ファンモータ１１２、ファンモータ支持部材１１３、プロペラファン１１４等が配置される。
【００１５】
底板３００は、上面が開口した箱形のものであり、室外機１００の底部を構成している。底板３００には室外機１００に収容される熱交換器２００等の部品が設置される。
【００１６】
熱交換器２００は送風機室１５０ｂの左側面と背面とに亘って平面視でほぼＬ字状に形成されており、左前方側の上下２箇所の端部には後述の熱交換器支持部品２０１（２０１ａ、２０１ｂ）が設けられている。次に、熱交換器２００の構成について図３を用いて詳細に説明する。
【００１７】
図３は、本発明の実施の形態１に係る空気調和機の室外機１００に設置される熱交換器２００の概略図である。なお、図３には熱交換器２００をＬ字状に折り曲げる前の状態を図示している。
図３に示されるように熱交換器２００は、互いに間隔をおいて配置された上下方向に延びるヘッダパイプ２５０、２５１と、両ヘッダパイプ２５０、２５１間に上下方向に間隔を空けて並列に配置された複数の扁平管２５２と、隣り合う扁平管２５２間に配置された複数のコルゲート状の放熱フィン２５３とを有する。扁平管２５２は、冷媒を流通させる流路が内部に設けられた伝熱管であり、水平方向に延びて配置されている。扁平管２５２の両端部は、例えば、ろう材によってヘッダパイプ２５０、２５１に接合され、これによりヘッダパイプ内部と各扁平管２５２の各流路とが連通するようになっている。
【００１８】
扁平管２５２と放熱フィン２５３とが交互に積層された部分の最も外側に対応する、図３の最上段および最下段の各放熱フィン２５３の外面側には、放熱フィン２５３の変形を抑制するためのサイドプレート２５６が設けられている。
【００１９】
ヘッダパイプ２５０内には、熱交換器２００内部で効率的な熱交換が行われるようにするためのヘッダパイプ仕切り板２５７が設けられており、ヘッダパイプ仕切り板２５７によってヘッダパイプ２５０内部が上下に仕切られている。ヘッダパイプ仕切り板２５７で仕切られたヘッダパイプ２５０の上下の部屋のうち、上側に接続配管２５４が接続され、下側の部屋に接続配管２５５が接続されている。接続配管２５４、２５５は冷媒流路の配管（図示省略）に接続される。
【００２０】
なお、熱交換器２００の構造はこの構造に限られたものではなく、例えば、コルゲート状のフィンに代えて平面板状のフィンとしてもよい。また、ヘッダパイプ２５０内にヘッダパイプ仕切り板２５７が設けられた構成を示したが、ヘッダパイプ仕切り板２５７が設けられていない構成としてもよいし、ヘッダパイプ仕切り板２５７を複数設けた構成としてもよい。
【００２１】
ヘッダパイプ２５０、２５１、扁平管２５２、放熱フィン２５３、接続配管２５４、２５５、サイドプレート２５６およびヘッダパイプ仕切り板２５７はすべてアルミニウム製である。なお、アルミニウム製にはアルミニウム合金製を含む。
【００２２】
ヘッダパイプ２５１の下端部２５１ａおよび上端部２５１ｂは、図２に示すように熱交換器支持部品２０１ａ、２０１ｂで覆われている。以下では、これらをまとめて支持部品２０１と称す場合もある。支持部品２０１は、アルミニウムよりも卑な金属もしくは樹脂で構成され、ヘッダパイプ２５０と底板３００との接触、言い換えれば熱交換器下端部と底板３００との接触を避ける役割を果たすものである。図２では、支持部品２０１を熱交換器２００の左右方向の一端側（左端側）の上下に２個設置した例を示しているが、他端側（右端側）にも設置するようにしてもよい。支持部品２０１は、熱交換器２００を支持すると共に、熱交換器２００と底板３００との接触を避けるためのものであり、特に個数、位置を限定するものではない。
【００２３】
図４は、本発明の実施の形態１に係る空気調和機の室外機１００の支持部品２０１の概略斜視図である。図５は、本発明の実施の形態１に係る空気調和機の室外機１００の支持部品２０１の平面図である。
支持部品２０１は、底面部２０２ａと底面部２０２ａの外周に設けられた側面部２０２ｂとを有し、一方の端部が閉塞した有底筒状に構成されている。支持部品２０１の側面部２０２ｂには、支持部品２０１内に流入した例えば水分等の不要物を外部に排出するための排水穴２１０が形成されている。排水穴２１０を設けたことで、支持部品２０１の隙間より流入した水分等によるヘッダパイプ２５０の腐食、冷媒漏れを抑制することができる。
【００２４】
図６は、本発明の実施の形態１に係る空気調和機の室外機１００の底板３００と支持部品２０１とそれらの関連部材とを抽出した概略平面図である。図示中、支持部品２０１と熱交換器２００とを破線で示している。
底板３００には、底板３００上に流入する雨水等の不要物を排出する第１排出穴である主排出穴３０１が形成されている。主排出穴３０１は熱交換器２００の下方に設けられている。また、底板３００上には絶縁シート３１０が配置されている。絶縁シート３１０については次の図７および図８を交えて説明する。
【００２５】
図７は、図６のＡ−Ａ断面の要部概略拡大図である。
絶縁シート３１０は、図６および図７に示すように支持部品２０１と底板３００との間に介装され、支持部品２０１の底面を覆うようにして設けられる。具体的には、絶縁シート３１０は、支持部品２０１の底面より大きなサイズの板状に構成され、支持部品２０１の底面全体に接触するように設置される。絶縁シート３１０は、ヘッダパイプ２５０の下端部２５１ａとケーシング１００ａの底板３００とが排水穴２１０を介して導通することを阻止するために設けられる。絶縁シート３１０の材質は、例えばブチルゴムまたはポリエステルのような電気的な絶縁物である。また絶縁シート３１０は、底板３００に対しての位置を固定するため、底板３００との接地面を粘着物で構成することが好ましい。
【００２６】
図８は、図７と同様に図６のＡ−Ａ断面の要部概略拡大図で、支持部品２０１周囲に堆積物５００が堆積した状態を示す図である。
堆積物５００は、空気中の水分を含んだほこりまたは砂などが堆積してできた固形物や、雨水などの流体などが滞留したものである。堆積物５００は支持部品２０１の側面部２０２ｂの内側と外側とに排水穴２１０を介して一体となって堆積している。堆積物５００は、使用開始初期にあるものではないが、空気調和機の使用、年月の経過により蓄積、流入してできるものである。
【００２７】
絶縁シート３１０を設置していない場合、堆積物５００が導通経路となり、異種金属である底板３００とヘッダパイプ２５１とが排水穴２１０を介して導通し、電食が起こる。しかし、絶縁シート３１０の設置により、堆積物５００が発生した場合でも絶縁シート３１０の大きさ以下の堆積物５００であれば、底板３００とヘッダパイプ２５１との導通を防ぐことができ、電食による腐食を抑制できる。また、絶縁シート３１０の設置により、底板３００とヘッダパイプ２５１の下端部２５１ａとの空間距離を拡大し、両者の絶縁距離を拡大できる。
【００２８】
以上説明したように本実施の形態１によれば、ケーシング１００ａの底板３００と支持部品２０１との間に絶縁シート３１０を介装させたので、熱交換器下端部の電食による腐食、冷媒漏れを抑制でき、長期に渡って信頼性の高い、空気調和機の室外機１００を提供することができる。
【００２９】
実施の形態２．
図９は、本発明の実施の形態２に係る空気調和機の室外機１００の底板３００の概略平面図である。図１０は、図９のＢ−Ｂ断面の要部概略拡大図である。以下、実施の形態２が実施の形態１と異なる点を中心に説明する。
実施の形態２は、図６に示した実施の形態１の底板３００にさらに、貫通穴で構成された第２排出穴である副排出穴３５０を有することを特徴とする。つまり、底板３００には、主排出穴３０１と副排出穴３５０とが設けられており、副排出穴３５０は絶縁シート３１０の近傍、言い換えれば絶縁シート３１０の周囲下方に設置されていることを特徴とする。そして、実施の形態２は副排出穴３５０を設けたことで、堆積物５００の発生抑制効果をさらに高めたものである。
【００３０】
堆積物５００の発生抑制効果は、副排出穴３５０の位置が影響する。具体的には、絶縁シート３１０の副排出穴３５０側の端から副排出穴３５０の絶縁シート３１０側の端までの水平方向の距離αが「０」の場合、すなわち絶縁シート３１０の端と副排出穴３５０の端とが重なる場合、堆積物５００の発生抑制効果が最も高い。
【００３１】
一方、距離αがマイナスの場合、すなわち副排出穴３５０の上に絶縁シート３１０が被さる状態の場合、副排出穴３５０の排水能力が低下して堆積物５００の発生抑制効果が下がる。このため、距離αがマイナスとなる配置は不適切である。また、絶縁シート３１０の設置位置を固定するために絶縁シート３１０を底板３００に粘着物質で接合することが多い。しかし、距離αがマイナスの場合、粘着接合が剥がれる要因になる。
【００３２】
以上より、距離αが「０」となる設置が最も好ましい。しかし、製造上のばらつきの観点から何れの室外機においてもαの距離を「０」に維持するのは困難であり、また、マイナスとなると効果減となる。このため、距離αを０ｍｍ〜３ｍｍ程度に設定するのが好ましい。
【００３３】
以上説明したように本実施の形態２によれば、実施の形態１と同様の効果が得られると共に、底板３００にさらに副排出穴３５０を設けたことにより以下の効果が得られる。すなわち、支持部品２０１付近での不要物（雨水や異物）の排出を促進し、堆積物５００の発生をさらに抑制することができる。
【００３４】
また、副排出穴３５０と絶縁シート３１０との間の水平方向の距離αを０ｍｍ〜３ｍｍの範囲に設定したので、副排出穴３５０の排水能力と堆積物５００の発生抑制効果とを得ることができる。
【符号の説明】
【００３５】
１００  室外機、１００ａ  ケーシング、１０１  天面板、１０２  前面板、１０３  側面板、１０４  ファングリル、１０５  接続端子保護カバー、１０６  冷媒配管保護カバー、１１０  圧縮機、１１１  仕切り板、１１２  ファンモータ、１１３  ファンモータ支持部材、１１４  プロペラファン、１５０ａ  機械室、１５０ｂ  送風機室、２００  熱交換器、２０１  熱交換器支持部品、２０１ａ  熱交換器支持部品、２０１ｂ  熱交換器支持部品、２０２ａ  底面部、２０２ｂ  側面部、２１０  排水穴、２５０  ヘッダパイプ、２５１  ヘッダパイプ、２５１ａ  下端部、２５１ｂ  上端部、２５２  扁平管、２５３  放熱フィン、２５４  接続配管、２５５  接続配管、２５６  サイドプレート、２５７  ヘッダパイプ仕切り板、３００  底板、３０１  主排出穴、３１０  絶縁シート、３５０  副排出穴、５００  堆積物。
【図１】
2017033273.tif 000003
【図２】
2017033273.tif 000004
【図３】
2017033273.tif 000005
【図４】
2017033273.tif 000006
【図５】
2017033273.tif 000007
【図６】
2017033273.tif 000008
【図７】
2017033273.tif 000009
【図８】
2017033273.tif 000010
【図９】
2017033273.tif 000011
【図１０】
2017033273.tif 000012
【手続補正書】
【提出日】平成29年12月4日(2017.12.4)
【手続補正１】
【補正対象書類名】明細書
【補正対象項目名】００２５
【補正方法】変更
【補正の内容】
【００２５】
図７は、図６のＡ−Ａ断面の要部概略拡大図である。
絶縁シート３１０は、図６および図７に示すように支持部品２０１と底板３００との間に介装され、支持部品２０１の底面を覆うようにして設けられる。具体的には、絶縁シート３１０は、支持部品２０１の底面より大きなサイズの板状に構成され、支持部品２０１の底面全体に接触するように設置される。絶縁シート３１０は、ヘッダパイプ２５１の下端部２５１ａとケーシング１００ａの底板３００とが排水穴２１０を介して導通することを阻止するために設けられる。絶縁シート３１０の材質は、例えばブチルゴムまたはポリエステルのような電気的な絶縁物である。また絶縁シート３１０は、底板３００に対しての位置を固定するため、底板３００との接地面を粘着物で構成することが好ましい。
【手続補正２】
【補正対象書類名】特許請求の範囲
【補正対象項目名】請求項２
【補正方法】変更
【補正の内容】
【請求項２】
前記底板は、前記底板上に流入した水分を排出する第１排出穴と第２排出穴とを有する請求項１記載の空気調和機の室外機。
【手続補正３】
【補正対象書類名】特許請求の範囲
【補正対象項目名】請求項３
【補正方法】変更
【補正の内容】
【請求項３】
前記第１排出穴は前記熱交換器の下方に設けられ、前記第２排出穴は前記絶縁シートの周囲に設けられている請求項２記載の空気調和機の室外機。
【国際調査報告】
2017033273.tif 000013
2017033273.tif 000014
2017033273.tif 000015
2017033273.tif 000016